(57)【要約】【課題】  吐出部を固定部から引き出して使用するに当たっても二度手間とならない上に、吐出部を固定部に装着するに当たっても二度手間とならずに使い勝手の良い吐水装置を提供する。【解決手段】  吐出口を有する吐出部１と、水栓設備５に固設され前記吐出部１を着脱自在に保持する固定部２２と、吐出部１にホースを介して接続されて開放時には吐出口から吐水させると共に閉塞時には止水させる弁部３と、弁部３の開閉を制御する制御部４と、を備えた吐水装置Ａである。そしてこの吐水装置Ａの制御部４は、固定部２２に対して吐出部１を離脱したときは弁部３を開放させて吐出口から吐水し且つ固定部２２に対して吐出部１を装着したときは弁部３を閉塞させて止水するように構成した。【選択図】        図１
2010174457.tif 000002
【特許請求の範囲】
【請求項１】
吐出口を有する吐出部と、水栓設備に固設され前記吐出部を着脱自在に保持する固定部と、吐出部にホースを介して接続されて開放時には吐出口から吐水させると共に閉塞時には止水させる弁部と、弁部の開閉を制御する制御部と、を備えた吐水装置であって、前記制御部は、固定部に対して吐出部を離脱したときは弁部を開放させて吐出口から吐水し且つ固定部に対して吐出部を装着したときは弁部を閉塞させて止水することを特徴とする吐水装置。
【請求項２】
前記水栓設備は洗面化粧台であり、洗面化粧台にあるボウル部の上方に前記固定部を設けて成ることを特徴とする請求項１記載の吐水装置。
【請求項３】
前記制御部は、固定部に対して吐出部を離脱した際に、固定部から吐出部が離脱した時から所定の時間経過後に弁部を開放させて吐出口から吐水することを特徴とする請求項１又は請求項２記載の吐水装置。
【発明の詳細な説明】
【技術分野】
【０００１】
本発明は、水栓設備に固設された固定部に対して、湯水を吐水させる吐出部が着脱自在に保持される吐水装置に関するものである。
【背景技術】
【０００２】
従来から、水栓設備に固設された固定部に対して、シャワーヘッド等の吐出部が着脱自在に保持される吐水装置として、例えば特許文献１により示すものが知られている。この吐水装置は、例えば、水栓設備としての洗面化粧台に取り付けられる。
【０００３】
この特許文献１に示される吐水装置は、吐出部としてのシャワーヘッドを洗面化粧台に固設された固定部から取り外して使用するに当たって、シャワーヘッドに設けてある吐出スイッチの操作を、シャワーヘッドを取り外した後に行なうことで、シャワーヘッドから湯水を吐出するようにしており、一方、シャワーヘッドの利用を終えてこのシャワーヘッドを固定部に収納（装着）するに当たっては、湯水を吐水した状態のシャワーヘッドの吐出スイッチを操作して止水した後に、シャワーヘッドを固定部に装着するようになっていた。
【先行技術文献】
【特許文献】
【０００４】
【特許文献１】特開平５−１７１６６５号公報
【発明の概要】
【発明が解決しようとする課題】
【０００５】
ところで、このような吐水装置を有する洗面化粧台のシャワーヘッドを固定部から引き出すという動作は、あらかじめ使用者は湯水をシャワーヘッドから吐出させるのを意図した上でシャワーヘッドを引き出すものである。すなわち、この使用者にとっては、あらかじめ吐水を意図しているのにも拘らず、シャワーヘッドを抜き出すという動作の後に、さらに吐出スイッチを操作するという動作をしなければならず、結果として、二度手間となっていた。
【０００６】
しかも、固定部にシャワーヘッドを装着するに際しては、使用者はシャワーヘッドの利用を終えた後には必ず収納装着するものである。すなわち、このような使用者にとっては、止水後に必ず収納装着するにも拘らず、固定部にシャワーヘッドを装着する前には、わざわざ、シャワーヘッドにある操作スイッチを操作して止水しなければならず、これも二度手間となっていた。特に、近年の洗面化粧台は洗髪に使用されることが多く、洗髪後のうつむいた状態で、且つ、目を開けられない状態においては、この操作スイッチを手探りで探し出した上で操作スイッチを操作して止水した後に、シャワーヘッドを固定部に装着しなければならないものとなっており、すなわち、この点においても改善が望まれるものとなっていた。
【０００７】
本発明は、上記従来の問題に鑑みてなされたものであり、その目的とするところは、吐出部を固定部から引き出して使用するに当たっても二度手間とならない上に、吐出部を固定部に装着するに当たっても二度手間とならずに使い勝手の良い吐水装置を提供することにある。
【課題を解決するための手段】
【０００８】
上記課題を解決するために本発明は、以下の構成を備えている。
【０００９】
すなわち請求項１に係る発明は、吐出口を有する吐出部１と、水栓設備５に固設され前記吐出部１を着脱自在に保持する固定部２２と、吐出部１にホースを介して接続されて開放時には吐出口から吐水させると共に閉塞時には止水させる弁部３と、弁部３の開閉を制御する制御部４と、を備えた吐水装置Ａである。そしてこの吐水装置Ａの制御部４は、固定部２２に対して吐出部１を離脱したときは弁部３を開放させて吐出口から吐水し且つ固定部２２に対して吐出部１を装着したときは弁部３を閉塞させて止水するように構成されている。
【００１０】
このように構成したことで、固定部２２に対して吐出部１を離脱するだけで、吐出部１から吐水させることができ、且つ、固定部２２に対して吐出部１を装着するだけで、吐出部１からの湯水を止水させることができる。
【００１１】
また、請求項２に係る発明にあっては、請求項１に係る発明において、前記水栓設備５は洗面化粧台５ａであり、洗面化粧台５ａにあるボウル部５２の上方に前記固定部２２を設けた。
【００１２】
このように構成したことで、洗面化粧台５ａで洗髪をする場合においても使い勝手が良いものとなる。
【００１３】
また、請求項３に係る発明にあっては、請求項１又は請求項２に係る発明において、前記制御部４は、固定部２２に対して吐出部１を離脱した際に、固定部２２から吐出部１が離脱した時から所定の時間経過後に弁部３を開放させて吐出口から吐水するように構成した。
【００１４】
このように構成したことで、固定部２２から吐出部１が離脱した時から所定の時間経過してから吐出部１が吐水を開始するので、吐水部１を所望の位置に引き出した後に吐水が開始されることになる。つまり、固定部２２から吐出部１が離脱した瞬間における突然の吐水開始がなくなり、より使い勝手のよいものとなる。
【発明の効果】
【００１５】
本発明によれば、吐出部を固定部から引き出して使用する吐水装置を使用するに当たって、吐出部を固定部から引き出して使用しても二度手間とならず、しかも、吐出部を固定部に装着するにあたっても二度手間とならず使い勝手の良いものとすることができる。
【図面の簡単な説明】
【００１６】
【図１】本発明の一実施形態の吐水装置を配設した洗面化粧台の概略正面図である。
【図２】同上の吐水装置を配設した洗面化粧台の概略側面図である。
【図３】同上の概略構成図である。
【発明を実施するための形態】
【００１７】
以下、本発明について添付図面に基づいて説明する。
【００１８】
本実施形態は、水栓設備の一例として洗面化粧台を用いている。本実施形態の洗面化粧台５ａは、図１及び図２に示すように、前面に開閉自在な扉５１１を備えた下部キャビネット５１と、この下部キャビネット５１の上部に載設されたボウル部５２と、ボウル部５２の上方に配置された吐水装置Ａと、吐水装置Ａの上方に配設された上部キャビネット５３とを備えている。
【００１９】
この吐水装置Ａは、図３に示すように、吐出口を有する吐出部１と、洗面化粧台５ａに固設され吐出部１を着脱自在に保持する固定部２２と、吐出部１にホースを介して接続された弁部３と、弁部３の開閉を制御する制御部４と、を備えている。
【００２０】
本実施形態の吐出部１は、円柱状で且つ中間部を屈曲したような外形を有するシャワーヘッド１ａにより構成されている。このシャワーヘッド１ａの前端には吐出口が設けられており、シャワーヘッド１ａを固定部２２に装着した状態において、吐出口がボウル部５２に臨むように設けられている。また、シャワーヘッド１ａの後端にはホースが固設されており、このホースと吐出口とは連通している。このホースは、金属により被覆された可撓性を有するフレキシブルホースで構成されており、ホースにおけるシャワーヘッド１ａが固設された側とは反対側の端部（つまり、ホースの上流側の端部）は、後述する固定部２２を設けた操作ユニット２内の流出口２５２に接続される。本実施形態のシャワーヘッド１ａには、シャワー整水切替スイッチ１１が設置されており、このシャワー整水切替スイッチ１１を操作することで、シャワーヘッド１ａによる吐水をシャワーとしたり整水としたり選択できるようになっている。さらに、シャワーヘッド１ａの後端（つまり、ホースが取り付けられている側の端部）には、固定部２２に挿通して固定される嵌め込み部１２が形成されている。本実施形態の嵌め込み部１２は、シャワーヘッド１ａの後端から、段部を介して形成された小径部１２ａによって構成されている。
【００２１】
固定部２２は、洗面化粧台５ａに固設された操作ユニット２に設けられている。本実施形態では、操作ユニット２の外形を形成する函状の操作ユニット本体２１の正面視左側に、円筒状の固定部２２が操作ユニット本体２１の内側に向けて突設してあり、この固定部２２の円筒内部にシャワーヘッド１ａの嵌め込み部１２が嵌入するようになっている。しかも、シャワーヘッド１ａを固定部２２から引き出した状態では、固定部２２の円筒内部を前述のホースが通過するようになっており、固定部２２にシャワーヘッド１ａの嵌め込み部１２を嵌め込んで装着した状態においては、シャワーヘッド１ａと流出口２５２との間のホースの一部に引き出し代（図示せず）が設けてあって、しかも、この引き出し代は操作ユニット本体２１内に略Ｕ字状に格納されている。その上、この略Ｕ字状に格納されたホースの折り返し部近傍には、ねじりばねのような弾性体（図示せず）が設けてあり、その弾性体の他端は操作ユニット本体２１の内面に係止されている。これにより、シャワーヘッド１ａを引き出した際には、弾性体による付勢力に抗ってその折り返し部が固定部２２に近づき、一方、シャワーヘッド１ａを装着するに当たっては、その弾性体が弾性復帰することでホースは操作ユニット２内に引き戻されるため、このホースはシャワーヘッド１ａの動きに追従することとなり、再びシャワーヘッド１ａの離脱前の状態に戻ることになる。つまり、シャワーヘッド１ａは、固定部２２に対して着脱自在となると共に、着脱に当たってもホースの引き出し代が邪魔にならない。なお、本実施形態においては、この弾性体による付勢力は、シャワーヘッド１ａの離脱時において、シャワーヘッド１ａを固定部２２に引き戻せる程の強い付勢力とはならないよう構成されている。また、上記弾性体のような復帰機構を設けずに、ホースの自重によりシャワーヘッドの離脱前の状態に戻るように形成してもよい。
【００２２】
この操作ユニット２は、前述の固定部２２と、シャワーヘッド１ａの着脱を検知する着脱検知部２３と、ボウル部５２上に手が挿通されたことを検知する検知部２４と、湯温の調整及び湯量の調整を行なう湯調整部２５と、検知部２４による信号に基づいて自動で吐水と止水を行なう自動モードと検知部２４による信号を無視して手動で吐水と止水を行なう手動モードとを切り替える切替操作部２６と、を備えている。
【００２３】
湯調整部２５は、水及び湯を給水管及び給湯管から湯調整部２５内に流入させる流入口２５１と、この流入した水及び湯を混合して湯水を湯調整部２５外に流出させる流出口２５２と、この流出口２５２から流出する湯水の湯温及び湯量の調整をするレバーハンドル２５３とを備えており、この流出口２５２は、上述の通り、固定部２２内を通過するホースを介してシャワーヘッド１ａと連通している。また、この湯調整部２５には流入口２５１が２つ形成されており、一方の流入口２５１を湯側流入口２５１ａとし、他方の流入口２５１を水側流入口２５１ｂとしている。つまり、湯側流入口２５１ａには、給湯管が接続されると共に、水側流入口２５１ｂには、給水管が接続されている。そして、操作ユニット本体２１の外面に露出したレバーハンドル２５３を左右に回動させることで、流出口２５２から流出する湯水の湯温の調整ができるようになっており、また、このレバーハンドル２５３を前後に回動させることで、流出口２５２から流出する湯水の湯量の調節ができるようになっている。
【００２４】
本実施形態の着脱検知部２３は、操作ユニット２にある固定部２２に設けられたマグネット２３ａと、シャワーヘッド１ａに設けられたリードスイッチ２３ｂとから構成されており、固定部２２にシャワーヘッド１ａの嵌め込み部１２を嵌入した状態で（つまり、シャワーヘッド１ａを固定部２２に装着した状態で）マグネット２３ａとリードスイッチ２３ｂとが対向するように構成されている。つまり、シャワーヘッド１ａを固定部２２に装着するとマグネット２３ａの磁力によりリードスイッチ２３ｂがＯＮ（又はＯＦＦ）となり、一方、シャワーヘッド１ａを固定部２２から離脱するとリードスイッチ２３ｂがＯＦＦ（又はＯＮ）となる。このリードスイッチ２３ｂは制御部４と電気的に接続されており、このリードスイッチ２３ｂによるＯＮ／ＯＦＦの信号は制御部４に送信されるようになっている。
【００２５】
本実施形態の検知部２４は、赤外線センサーにより構成されており、制御部４と電気的に接続してある。操作ユニット２の下方（すなわち、ボウル部５２の上方）に使用者の手が挿通された時にこの使用者の手を検知できるようになっており、この検知した信号を制御部４に送信するように構成されている。なお、この検知部２４の感度は、制御部４に設けられた後述の調整つまみ２４１によって調節できるようになっている。
【００２６】
切替操作部２６は、操作ユニット本体２１の内部に備える手動自動切替用基板に、操作ユニット本体２１の外面に露出して設けてある手動自動切替ボタン２６１と、ＬＥＤ表示灯から成る切替表示部２６２と、を設けることで構成されている。この手動自動切替ボタン２６１は、自動モードに移行させる自動ボタン２６１ａと手動モードに移行させる手動ボタン２６１ｂとで構成されており、制御部４に対して電気的に接続された手動自動切替用基板に設けられた制御回路により、手動自動切替ボタン２６１を押下したことによる信号が、この制御部４に送信されるようになっている。また、切替表示部２６２は、「自動モード」と表記された上部にＬＥＤ表示灯が設けられると共に、「手動モード」と表記された上部にもＬＥＤ表示灯が設けられている。すなわち、手動自動切替ボタン２６１のうち自動ボタン２６１ａを押下すると、自動モードに移行されたことを知らせるために「自動モード」の切替表示部２６２を点灯させ、一方、手動自動切替ボタン２６１のうち手動ボタン２６１ｂを押下すると、手動モードに移行されたことを知らせるために「手動モード」の切替表示部２６２が点灯するようになっている。
【００２７】
このように構成された操作ユニット２の湯調整部２５の流入口２５１には、上述の通り、給湯管及び給水管が接続されているが、この給湯管及び給水管の湯調整部２５よりも上流側には弁部３が設けられている。
【００２８】
この弁部３は、湯側弁３１と水側弁３２とで構成されており、湯側弁３１は給湯管に接続されると共に水側弁３２は給水管に接続されている。さらに、この湯側弁３１と水側弁３２の各弁は電磁弁によって構成されており、制御部４によってこの弁部３の開閉が制御されている。なお、図中に示す６１は逆流（すなわち、下流側から上流側への流れ）を阻止する逆止弁であり、この逆止弁６１は弁部３（すなわち、湯側弁３１と水側弁３２）の直近の下流側に接続されている。
【００２９】
制御部４は、マイクロコンピュータを内蔵した制御基板にて構成されており、上述の通り、着脱検知部２３、検知部２４、手動自動切替用基板、及び弁部３と電気的に接続されると共に、コンセント等の家庭用給電部に接続される給電用の電源コード４１が接続されている。また、この制御基板には、上記検知部２４の赤外線センサーの感度を制御できる調整つまみ２４１が接続されている。
【００３０】
このように構成された弁部３及び逆止弁６１、並びに制御部４は、函状のコントロールボックス７内に収容されて、見た目のコンパクトさを向上させると共に保護がなされている。また、このコントロールボックス７の外面には、上述の調整つまみ２４１が露出して設置されている。
【００３１】
このように構成された吐水装置Ａの動作について以下に説明する。
【００３２】
最初に、自動モードについて説明する。まず、操作ユニット２にある切替操作部２６の手動自動切替ボタン２６１のうち自動ボタン２６１ａを押下して、自動モードに移行させる。このとき、自動ボタン２６１ａを押下するのと同時に「自動モード」の切替表示部２６２が点灯し、それと同時に自動モードが選択された信号が制御部４に送信され、吐水装置Ａは自動モードに移行する。この自動モードでは、着脱検知部２３と検知部２４の各信号が有効な状態として機能する。
【００３３】
この自動モードにおいて、シャワーヘッド１ａを固定部２２から離脱させると、着脱検知部２３がシャワーヘッド１ａの離脱を検知し（つまりリードスイッチ２３ｂがＯＦＦ（又は、ＯＮ）となり）、その信号を制御部４に送信する。シャワーヘッド１ａが離脱した信号を受けた制御部４は、弁部３（水側弁３２及び湯側弁３１）を開放させるよう制御し、これによりシャワーヘッド１ａから湯水が吐出される。その上、本実施形態の制御部４は、固定部２２に対して吐出部１を離脱した時から所定の時間（本実施形態では０．２〜０．３秒に設定してある）経過後に弁部３を開放させて吐出口から吐水するようになっている。このとき、シャワーヘッド１ａから吐出された湯水は、操作ユニット２の湯調整部２５によって所望の湯温及び湯量に調節することができ、このように、湯調整部２５によって調整された吐水が、着脱検知部２３の検知信号に基づいて吐出されるようになっている。なお、当然のことながら、湯調整部２５によって吐出前にあらかじめ湯温湯量共に調節しておくことができる。
【００３４】
一方、このシャワーヘッド１ａを固定部２２に装着すると、着脱検知部２３がシャワーヘッド１ａの装着を検知し（つまりリードスイッチ２３ｂがＯＮ（又は、ＯＦＦ）となり）、その信号を制御部４に送信する。シャワーヘッド１ａが装着された信号を受けた制御部４は、弁部３（水側弁３２及び湯側弁３１）を閉塞させるように制御し、これによりシャワーヘッド１ａからの湯水が止水される。
【００３５】
また、シャワーヘッド１ａ装着時にボウル部５２の上方（操作ユニット２の下方）に手が挿通された場合には、検知部２４が手を検知した信号を制御部４に送信し、制御部４はその信号に基づいて弁部３（水側弁３２及び湯側弁３１）を開放させるため、シャワーヘッド１ａから湯水が吐出される。一方、手をボウル部５２の上方から引き戻すと（つまり、手を検知部２４の検知範囲外に位置させると）検知部２４による信号が途絶えることとなり、これにより制御部４は弁部３（水側弁３２及び湯側弁３１）を閉塞させるため、シャワーヘッド１ａからの湯水が止水される。
【００３６】
このようにこの自動モードにおいて、制御部４は、固定部２２に対して吐出部１（シャワーヘッド１ａ）を離脱したときは、弁部３を開放させて吐出口から吐水し、且つ、固定部２２に対して吐出部１（シャワーヘッド１ａ）を装着したときは、弁部３を閉塞させて止水するように制御するため、使用者は吐水をさせるための操作をする必要がなく、二度手間を省き、また使い勝手がよくなる。
【００３７】
しかも、固定部２２に対して吐出部１が離脱した時から所定の時間経過後に吐水するように構成しているので、吐出部１を引き出した瞬間に不意に吐水が開始してしまうといったこともなく、所望の部位に吐出部１の吐出口を向けた後に吐水を開始させることができて、使い勝手がより一層よいものとなっている。なお、本実施形態においては、固定部２２に対して吐出部１を離脱してから０．２〜０．３秒後に吐出を開始するようにしているが、特に限定されるものではなく、また、所望の吐水開始時間を設定・調節できるように構成してももちろんよい。
【００３８】
また、上記のようにこの自動モードで、且つ、固定部２２に吐出部１を装着した場合においては、使用者の手を感知したときには吐水を開始すると共に、使用者の手を引き戻したときには止水するようになっているため、無駄に湯水を吐出することがなく、節水することができる。
【００３９】
次に、手動モードについて説明する。この手動モードは、例えば、ボウル部５２に水を貯溜して使用したい場合等に効果的に使用することができるものである。この手動モードに切り替えるに当たっては、操作ユニット２にある切替操作部２６の手動自動切替ボタン２６１のうち手動ボタン２６１ｂを押下して、手動モードに移行させる。上記の自動モードと同様に、手動ボタン２６１ｂを押下するのと同時に「手動モード」の切替表示部２６２が点灯し、それと同時に手動モードが選択された信号が制御部４に送信され、吐水装置Ａは手動モードに移行する。この手動モードでは、着脱検知部２３と検知部２４の各信号に基づく動作がなされず、つまりこの着脱検知部２３と検知部２４に基づいて吐水されることはない。
【００４０】
この手動モードに移行されるのと同時に、制御部４は弁部３を開放させるため、シャワーヘッド１ａから湯水の吐出が開始する。この吐水の湯温及び湯量は、上記と同様に、湯調整部２５によって調整可能であり、無論、この湯調整部２５を操作して手動で止水することもできる。なお、この手動モード時にシャワーヘッド１ａを固定部２２から離脱させ、引き出して使用することも可能であるが、着脱検知部２３の検知信号に基づいた制御は行なわれない。
【００４１】
この手動モードによる使用を終了させたいときには、再度、操作ユニット２にある切替操作部２６の手動自動切替ボタン２６１のうち自動ボタン２６１ａを押下することで、自動モードに復帰することが可能となる。
【００４２】
このように構成された吐水装置Ａは、水栓設備５としての洗面化粧台５ａに固設されている。
【００４３】
冒頭に述べたとおり、本実施形態の洗面化粧台５ａは、前面に開閉自在な扉５１１を備えた下部キャビネット５１と、この下部キャビネット５１の上部に載設されたボウル部５２と、ボウル部５２の上方に配置された吐水装置Ａと、吐水装置Ａの上方に配設され前面に鏡５３２を配設した開閉自在な扉５３１を備えた上部キャビネット５３とを備えている。
【００４４】
この下部キャビネット５１は、函形状で主体が構成されているが、前面を収納物を挿通することができるように開放され、且つ、上部においてもボウル部５２が設置できるように開放されており、この前面の開放面には、開閉自在に設けられた扉５１１が設置されている。図２に示すように、洗面化粧台５ａは、この下部キャビネット５１の背面を壁面に当接するようにして床面上に設置してある。この下部キャビネット５１の背面の一部には、給湯管及び給水管を挿通するための挿通孔が穿設されている。
【００４５】
この下部キャビネット５１の上部には、下部キャビネット５１の上部の開口の一部を覆うようにして、ボウル部５２が載設されている。詳しくは、このボウル部５２の背面に、下部キャビネット５１の内外を連通する隙間５１２を設けるようにしてボウル部５２が設置される。このボウル部５２は、略椀状の洗面ボウル（図示せず）の左右に位置して洗面ボウル上縁から水平方向に突出して設けられた横載置部（図示せず）と、洗面ボウルの前部にフランジ状に設けられた前片（図示せず）と、洗面ボウルの奥部と一体になって形成されており上方に向けて突出する立ち上がり壁部５２１とを備えている。この洗面ボウルは大型に形成されており洗髪などが容易にできる。また、この洗面ボウルの底面には排水口（図示せず）が形成されている。
【００４６】
下部キャビネット５１内部においては、上記の弁部３、逆止弁６１、及び制御部４が収納されたコントロールボックス７が、下部キャビネット５１の背面板の上部に固設されている。このコントロールボックス７から突出する上流側の給水管と給湯管の各配管は、下部キャビネット５１内に配設されるストレーナー６２及び止水栓６３を介し、下部キャビネット５１の背面板の挿通孔を通過して水及び湯の供給源に接続されている。
【００４７】
上部キャビネット５３は、前方に開口した函状のキャビネット部５３３とキャビネット部５３３の前方開口を塞ぐように配置される扉５３１とを有している。キャビネット部５３３は、内部空間を棚となる横板や縦板で格子状に区画して、複数の収納部を形成している。扉５３１はキャビネット部５３３の幅方向に並んで複数（本実施形態では３つ）設けられており、各扉５３１の前面には略全面に亘って鏡５３２がそれぞれ貼着されていて鏡付きの扉５３１となっている。また、各扉５３１の下端はキャビネット部５３３の下端と略同位置になるようにされ、各扉５３１の幅方向の一端がキャビネット部５３３に枢支されて収納部を開閉するように回動自在にされており、両側の扉５３１を前方に回動させたときには、各扉５３１の鏡５３２が洗面化粧台５ａの幅方向の中央前方に立つ使用者に向くような三面鏡状にできるようになっている。
【００４８】
この上部キャビネット５３は、洗面ボウルの後端に形成されている立ち上がり壁部５２１に載設されている。
【００４９】
本実施形態の操作ユニット２は、上部キャビネット５３の下面における左右方向の略中間部に固設してある。本実施形態においては、操作ユニット本体２１の上面と上部キャビネット５３のキャビネット部５３３の下面とを、ねじのような固着具によって螺合することにより、この操作ユニット２は固設してあるが、この固設手段は特に限定されるものではなく、例えばＬ字状の金属製の取付金具を使用して、上部キャビネット５３と操作ユニット２とを固着一体化してもよい。
【００５０】
また、この操作ユニット２の背面からは、図２に示すように湯調整部２５の流入口２５１に接続された給湯管及び給水管と、着脱検知部２３及び検知部２４及び手動自動切替用基板と制御部４とを接続する各電気配線（図中Ｂ）と、が突出している。この給湯管及び給水管と、各電気配線Ｂと、はボウル部５２の立ち上がり壁部５２１の上端に設けられた切欠（図示せず）から、このボウル部５２背面に向けて抜き出され、このボウル部５２の立ち上がり壁部５２１の背面を通って、下部キャビネット５１の上部であってボウル部５２の背面に設けられた隙間５１２に挿通されて、コントロールボックス７内の逆止弁６１や制御基板に接続されている。つまり、操作ユニット２からの配管や配線Ｂは、使用者からは見えない位置に隠された状態となっているため、洗面化粧台５ａの外観を低下させることなく、吐水装置Ａと洗面化粧台５ａとの一体感のある良好な外観を呈することができる。
【００５１】
このように設置された吐水装置Ａは、上記の通り、ボウル部５２の上方に固定部２２のある操作ユニット２を設けてあり、シャワーヘッド１ａを引き出して使用するのみならず、通常のカランとしての使用もできる。つまり、本実施形態の吐水装置Ａを設けた洗面化粧台５ａは、シャワーヘッド１ａとカランとを共用する吐出口を一つ設けるだけでよいため、すっきりとしたシンプルな外観にすることができるし、コスト面でも有利となる。
【００５２】
さらに、給湯管と給水管が設置してあれば、既設の洗面化粧台５ａに対しても、本発明の吐水装置Ａを設置することができる。
【００５３】
また、本実施形態の洗面化粧台５ａによれば、弁部３の各電磁弁が故障した場合であっても、簡単に交換することができる。つまり、弁部３の各電磁弁の上流にある止水栓６３によって止水した状態であれば、逆止弁６１が設けてあるため下流側の配管にある湯水が逆流することもない。そのため、電磁弁の故障によるトラブルに対しても早急に対応することができる。また、電磁弁の下流側には、ストレーナー６２が設けてあるため、電磁弁といったストレーナー６２よりも下流のものに対するトラブルを未然に防ぐという配慮もなされている。
【００５４】
以上、本発明の吐水装置Ａを、洗面化粧台５ａに設置したものに基づいて説明したが、この水栓設備５としての洗面化粧台５ａは、例えば、台所用のシンクであっても同様に適用することができる。
【００５５】
また、着脱検知部２３や検知部２４の構成は、上記実施形態のものに限定されるものではなく、例えば検知部２４に超音波センサーを用いたり、着脱検知部２３にメカスイッチによる検知手段を用いたりしてももちろんよい。
【符号の説明】
【００５６】
１      吐出部
１ａ    シャワーヘッド
１１    シャワー整水切替スイッチ
１２    嵌め込み部
１２ａ  小径部
２      操作ユニット
２１    操作ユニット本体
２２    固定部
２３    着脱検知部
２３ａ  マグネット
２３ｂ  リードスイッチ
２４    検知部
２４１  調整つまみ
２５    湯調整部
２５１  流入口
２５２  流出口
２５３  レバーハンドル
２６    切替操作部
２６１  手動自動切替ボタン
２６１ａ  自動ボタン
２６１ｂ  手動ボタン
２６２  切替表示部
３      弁部
３１    湯側弁
３２    水側弁
４      制御部
４１    電源コード
５      水栓設備
５ａ    洗面化粧台
６１    逆止弁
６２    ストレーナー
６３    止水栓
７      コントロールボックス
Ａ      吐水装置
【図１】
2010174457.tif 000003
【図２】
2010174457.tif 000004
【図３】
2010174457.tif 000005